(57)【要約】【課題】他移動局への干渉を低減し、下り容量を増大させる。【解決手段】コンプレストモード移行前に移動局１０に割り当てられていたチャネリゼーションコードと同一の拡散符号群に属するチャネリゼーションコードが１つも他移動局に割り当てられていない場合、無線制御装置３０は、移行前に割り当てられていたプライマリスクランブリングコードをコンプレストモードにおいても移動局１０に割り当てる。無線制御装置３０は、同一の拡散符号群に属するチャネリゼーションコードが１つでも他移動局に割り当てられている場合には、コンプレストモードでは移動局１０にオルタネイティブスクランブリングコードを割り当てる。【選択図】図１
2005341425.tif 000002
【特許請求の範囲】
【請求項１】
データ圧縮モード移行前に移動局に割り当てられていたチャネル識別拡散符号と同一の拡散符号群に属するチャネル識別拡散符号が、前記移動局以外の他移動局に割り当てられているか否かを判定する符号判定部と、
該符号判定部により前記他移動局に割り当てられていないと判定された場合には、前記移行前に割り当てられていたエリア識別拡散符号を前記データ圧縮モードにおいても割り当てる同一符号割当部と、
前記符号判定部により前記他移動局に割り当てられていると判定された場合には、前記データ圧縮モードにおいて前記エリア識別拡散符号と異なる異拡散符号を移動局に割り当てる異符号割当部と
を備えることを特徴とする無線制御装置。
【請求項２】
前記符号判定部により前記他移動局に割り当てられていないと判定された場合には、前記同一の拡散符号群に属するチャネル識別拡散符号を前記データ圧縮モードが終了するまで確保する符号確保部を備えることを特徴とする請求項１に記載の無線制御装置。
【請求項３】
データ圧縮モード移行前に移動局に割り当てられていたチャネル識別拡散符号と同一の拡散符号群に属するチャネル識別拡散符号が、前記移動局以外の他移動局に割り当てられているか否かを判定し、
前記他移動局に割り当てられていないと判定された場合には、前記移行前に割り当てられていたエリア識別拡散符号を前記データ圧縮モードにおいても割り当て、
前記他移動局に割り当てられていると判定された場合には、前記データ圧縮モードにおいて前記エリア識別拡散符号と異なる異拡散符号を移動局に割り当てることを特徴とする無線通信制御方法。
【発明の詳細な説明】
【技術分野】
【０００１】
本発明は、無線制御装置及び無線通信制御方法に関する。
【背景技術】
【０００２】
従来、ＣＤＭＡ（Code Division Multiple Access）移動通信システムでは、周波数間やシステム間のハンドオーバを実現するために、他キャリア周波数の信号電力を測定する必要がある。そのため、ＣＤＭＡ移動通信システムでは、基地局から移動局へ送信する下りの通信フレーム中に、通信データを送信しない空き時間を設けるデータ圧縮モード（compressed mode）が規定されている（例えば、特許文献１、特許文献２、非特許文献１参照）。データ圧縮モード（compressed mode）の通信フレーム（compressed frame）では、通常の通信フレームとは異なる異拡散符号（alternative scrambling code）を用いる。
【特許文献１】特開２００２−２６８１１号公報
【特許文献２】特開２００１−８２６２号公報
【非特許文献１】3GPP TS 25.212 4.4 Compressed  Mode
【発明の開示】
【発明が解決しようとする課題】
【０００３】
しかしながら、データ圧縮モードの通信フレーム（compressed frame）において、常に異拡散符号（alternative scrambling code）を用いると、データ圧縮モードを使用している移動局以外の他移動局との直交性が保てない。その結果、他移動局への干渉の増大、下り容量の低下、自局の通信品質劣化等が生じる。
【０００４】
ここで、通常の通信フレームにおいて使用していた通信チャネルを識別するチャネル識別拡散符号（channelization code）が属する拡散符号群の全てのチャネル識別拡散符号を、常に、即ち、データ圧縮モードが開始されるまでの間も確保しておくことが考えられる。これによれば、データ圧縮モードにおいて、異拡散符号（alternative scrambling code）を使用せずに、通常の通信フレームで使用していたエリア識別拡散符号（Primary Scrambling Code）を使用することができる。しかし、この場合には、他移動局との直交性は保つことができるものの、拡散符号群を確保しておく必要があるため、拡散符号使用率が著しく低下し、結局、下り容量の低下を招いてしまう。
【０００５】
そこで、本発明は、他移動局への干渉を低減し、下り容量を増大させることを目的とする。
【課題を解決するための手段】
【０００６】
本発明に係る無線制御装置は、データ圧縮モード移行前に移動局に割り当てられていたチャネル識別拡散符号と同一の拡散符号群に属するチャネル識別拡散符号が、移動局以外の他移動局に割り当てられているか否かを判定する符号判定部と、符号判定部により他移動局に割り当てられていないと判定された場合には、移行前に割り当てられていたエリア識別拡散符号をデータ圧縮モードにおいても割り当てる同一符号割当部と、符号判定部により他移動局に割り当てられていると判定された場合には、データ圧縮モードにおいてエリア識別拡散符号と異なる異拡散符号を移動局に割り当てる異符号割当部とを備えることを特徴とする。
【０００７】
このような無線制御装置によれば、データ圧縮モード移行前に移動局に割り当てられていたチャネル識別拡散符号と同一の拡散符号群に属するチャネル識別拡散符号が１つも他移動局に割り当てられていない場合には、無線制御装置は、移行前に割り当てられていたエリア識別拡散符号をデータ圧縮モードにおいても移動局に割り当てることができる。又、同一の拡散符号群に属するチャネル識別拡散符号が１つでも他移動局に割り当てられている場合には、無線制御装置は、ータ圧縮モードでは移動局に異拡散符号を割り当てることができる。
【０００８】
そのため、無線制御装置は、チャネル識別拡散符号の使用状況を考慮して、拡散符号使用率を低下させることなく、適宜、適切な拡散符号を割り当てることができる。よって、他移動局への干渉を低減し、下り容量を増大させることが可能となる。
【０００９】
更に、無線制御装置は、符号判定部により他移動局に割り当てられていないと判定された場合には、データ圧縮モード移行前に移動局に割り当てられていたチャネル識別拡散符号と同一の拡散符号群に属するチャネル識別拡散符号をデータ圧縮モードが終了するまで確保する符号確保部を備えることが好ましい。これによれば、無線制御装置は、データ圧縮モードが終了するまでの間だけ、移行前に移動局に割り当てられていたチャネル識別拡散符号と同一の拡散符号群に属するチャネル識別拡散符号を他移動局に割り当てないようにできる。よって、他移動局への干渉の低減し、下り容量の増大を維持することができる。
【００１０】
本発明に係る無線通信制御方法は、データ圧縮モード移行前に移動局に割り当てられていたチャネル識別拡散符号と同一の拡散符号群に属するチャネル識別拡散符号が、移動局以外の他移動局に割り当てられているか否かを判定し、他移動局に割り当てられていないと判定された場合には、移行前に割り当てられていたエリア識別拡散符号をデータ圧縮モードにおいても割り当て、他移動局に割り当てられていると判定された場合には、データ圧縮モードにおいてエリア識別拡散符号と異なる異拡散符号を移動局に割り当てることを特徴とする。
【発明の効果】
【００１１】
以上説明したように、本発明によれば、他移動局への干渉を低減し、下り容量を増大させることができる。
【発明を実施するための最良の形態】
【００１２】
〔第１の実施の形態〕
図１に示すように、移動通信システム１００は、移動局１０と、基地局２０と、無線制御装置３０とを備える。移動通信システム１００は、ＣＤＭＡを用いる。移動通信システム１００がカバーする地域は、複数のエリアに分割される。エリアには、例えば、セルや、セルを更に分割したセクタがある。移動通信システム１００では、互いに周波数の異なるセル１と、セル２ａ，２ｂとが設けられている。
【００１３】
移動局１０と基地局２０は、無線通信を行う。移動局１０は、移動により、周波数間のハンドオーバや、システム間のハンドオーバを行う。移動局１０は、ハンドオーバを行う際に、ハンドオーバ先を決定するために、現在存在するセルと周波数の異なるセルや、現在存在する移動通信システムと異なる移動通信システムからの信号の電力を測定し、受信品質を測定する。例えば、図１に示すように、移動局１０は、セル１の中央付近からセル１の端に移動するとハンドオーバを行うために、セル１とは異なる周波数を持つセル２ａ，２ｂにおける受信品質を測定する。
【００１４】
このとき、移動局１０は、データ圧縮モード（compressed mode、以下「コンプレストモード」という）を起動する。コンプレストモードは、通信データを圧縮して送信するモードである。具体的には、コンプレストモードは、通信チャネルを識別するチャネル識別拡散符号の符号長を短くすることにより、通信データを時間軸方向に圧縮して送信する。これにより、コンプレストモードは、図２に示すように、通信フレーム中に通信データを送信しない空き時間、即ち、送信ギャップを設けたモードとなる。この送信ギャップを含むコンプレストモードの通信フレームを特に、コンプレストフレーム（compressed frame）という。チャネル識別拡散符号としては、チャネライゼーションコード（channelization code）を用いることができる。
【００１５】
そして、移動局１０は、基地局２０から移動局１０へ送信する下り方向におけるコンプレストモードの送信ギャップにおいて、ハンドオーバを行うための受信品質の測定を行う。
【００１６】
無線制御装置３０は、移動局１０と基地局２０との間の無線通信を制御する。無線制御装置３０は、図３に示すように、コンプレストモード起動判定部３１と、符号判定部３２と、同一符号割当部３３と、異符号割当部３４と、チャネル符号割当部３５と、割当状況記憶部３６とを備える。
【００１７】
コンプレストモード起動判定部３１は、移動局１０と基地局２０との間の通信において、コンプレストモードが起動中であるか否かを判定する。コンプレストモード起動判定部３１は、基地局２０から、基地局２０から移動局１０への下り方向における通信モードを取得し、判定を行う。コンプレストモード起動判定部３１は、コンプレストモードが起動中であると判定した場合には、起動中であることを通知するコンプレストモード通知を符号判定部３２に入力する。コンプレストモード通知には、移動局１０を識別可能な識別データが含まれる。
【００１８】
割当状況記憶部３６は、拡散符号の移動局への割当状況を記憶する。割当状況記憶部３６は、移動局の識別データに対応付けて割当状況を記憶する。チャネル符号割当部３５は、チャネル識別拡散符号（チャネライゼーションコード）を移動局に割り当てる。チャネル符号割当部３５は、基地局２０から移動局１０へのチャネル識別拡散符号の割当要求を受信すると、割当を行う。割当要求には、移動局１０の識別データが含まれる。チャネル符号割当部３５は、割当状況記憶部３５を参照し、移動局１０以外の他移動局に割り当てられていない未使用のチャネル識別拡散符号を移動局１０に割り当てる。チャネル符号割当部３５は、割当要求から移動局１０の識別データを取得し、識別データに対応付けて、割り当てたチャネル識別拡散符号を基地局２０に通知する。更に、チャネル符号割当部３５は、チャネル識別拡散符号に対応付けて、割り当てた移動局１０の識別データを割当状況記憶部３６に格納する。
【００１９】
符号判定部３２は、コンプレストモード移行前に移動局１０に割り当てられていたチャネル識別拡散符号と同一の拡散符号群に属するチャネル識別拡散符号が、移動局１０以外の他移動局に割り当てられているか否かを判定する。チャネル識別拡散符号として用いられるチャネライゼーションコードは、拡散符号間での直交性を、同一符号長の拡散符号間及び異なる符号長の拡散符号間で保証できるＯＶＳＦ（Orthogonal Variable Spreading Factor）である。チャネライゼーションコードは、図４に示すような木構造の拡散符号群を形成する。この木構造の拡散符号群は、コードツリーと呼ばれる。
【００２０】
チャネライゼーションコードは、「Ｃch,SF,k」と記述される。「Ｃch」は、チャネライゼーションコードであることを示す。「ＳＦ」は、拡散率、即ち、符号長を示す。「ｋ」は、コード番号を示す。チャネライゼーションコードＣch,2,0、Ｃch,2,1は、「符号長＝１」のチャネライゼーションコードＣch,1,0を親とする、同じ符号長「符号長＝２」を持つチャネライゼーションコードである。チャネライゼーションコードＣch,4,0、Ｃch,4,1は、チャネライゼーションコードＣch,1,0を親に持つチャネライゼーションコードＣch,2,0を親とする、同じ符号長「符号長＝４」を持つチャネルライゼーションコードである。
【００２１】
このように、チャネライゼーションコードは、１つの親、即ち、チャネライゼーションコードＣch,1,0をコードツリーの頂点にした拡散符号群を形成する。そして、拡散符号群には、同一の親を持ち、符号長が同じチャネライゼーションコード（Ｃch,2,0、Ｃch,2,1）や、同一の親を持つチャネルライゼーションコードを親とするチャネライゼーションコード（Ｃch,4,0、Ｃch,4,1、Ｃch,4,2、Ｃch,4,3）が含まれる。
【００２２】
符号判定部３２は、コンプレストモード起動判定部３１からコンプレストモード通知の入力を受けると、判定を行う。即ち、符号判定部３２は、コンプレストモードが起動中の場合に判定を行う。符号判定部３２は、コンプレストモード通知から移動局１０の識別データを取得する。符号判定部３２は、識別データに基づいて割当状況記憶部３６を検索し、コンプレストモード移行前に移動局１０に割り当てられているチャネル識別拡散符号（以下「割当拡散符号」という）を取得する。次に、符号判定部３２は、取得した割当拡散符号に基づいて割当状況記憶部３６を検索し、割当拡散符号と同一の拡散符号群に属するチャネル識別拡散符号が他移動局に割り当てられているか否かを判定する。
【００２３】
例えば、符号判定部３２は、コンプレストモード移行前に移動局１０に、チャネライゼーションコードＣch,2,0が割り当てられている場合、割当拡散符号であるチャネライゼーションコードＣch,2,0と同一のチャネライゼーションコードＣch,1,0を親に持ち、符号長が同じチャネライゼーションコードＣch,2,1や、割当拡散符号と同一の親（チャネライゼーションコードＣch,1,0）を持つチャネライゼーションコードＣch,2,1を親とするチャネライゼーションコードＣch,4,2、Ｃch,4,3が、他移動局に割り当てられているか否かを判断する。
【００２４】
符号判定部３２は、他移動局に割り当てられていないと判定した場合、即ち、割当拡散符号と同一の拡散符号群に属する全てのチャネル識別拡散符号が未使用の場合には、同一符号割当部３３に未使用通知を入力する。一方、符号判定部３２は、他移動局に割り当てられていると判定した場合、即ち、割当拡散符号と同一の拡散符号群に属するチャネル識別拡散符号が１つでも他移動局によって使用されている場合には、異符号割当部３４に使用通知を入力する。未使用通知、使用通知には移動局１０の識別データが含まれる。
【００２５】
同一符号割当部３３は、符号判定部３２により他移動局に割り当てられていないと判定された場合に、コンプレストモード移行前に割り当てられていたエリアを識別するエリア識別拡散符号をコンプレストモードにおいても移動局に割り当てる。即ち、同一符号割当部３３は、コンプレストモードにおいても移行前と同一の拡散符号を移動局１０に割り当てる。エリア識別拡散符号は、セルやセクタ等のエリアを識別するために用いられる。コンプレストモード移行前において割り当てられるエリア識別拡散符号には、プライマリスクランブリングコード（Primary scrambling code）や、セカンダリスクランブリングコード（Secondary scrambling code）等がある。
【００２６】
同一符号割当部３３は、符号判定部３２から未使用通知の入力を受けると、割当を行う。同一符号割当部３３は、未使用通知から移動局１０の識別データを取得する。同一符号割当部３３は、識別データに基づいて割当状況記憶部３６を検索し、移動局１０に割り当てられているエリア識別拡散符号を取得する。同一符号割当部３３は、取得したエリア識別拡散符号をコンプレストモードにおいても移動局１０に割り当てる。同一符号割当部３３は、移動局１０の識別データに対応付けて、割り当てたエリア識別拡散符号を基地局２０に通知する。更に、同一符号割当部３３は、エリア識別拡散符号に対応付けて、割り当てた移動局１０の識別データを割当状況記憶部３６に格納する。
【００２７】
異符号割当部３４は、符号判定部３２により他移動局に割り当てられていると判定された場合に、コンプレストモードにおいて、コンプレストモード移行前に割り当てられていたエリア識別拡散符号と異なる異拡散符号を移動局に割り当てる。異拡散符号には、オルタネイティブスクランブリングコード（alternative  scrambling  code）等がある。異拡散符号としては、エリア識別拡散符号と同一符号長であって、エリア識別拡散符号と異なる拡散符号を用いることができる。
【００２８】
異符号割当部３４は、符号判定部３２から使用通知の入力を受けると、割当を行う。異符号割当部３４は、使用通知から移動局１０の識別データを取得する。異符号割当部３４は、識別データに基づいて割当状況記憶部３６を検索し、移動局１０に割り当てられているエリア識別拡散符号を取得する。異符号割当部３４は、取得したエリア識別拡散符号と異なる異拡散符号をコンプレストモードにおいて移動局１０に割り当てる。異符号割当部３３は、例えば、コンプレストモード移行前に割り当てられていたプライマリスクランブリングコードに関連付けられているオルタネイティブスクランブリングコードを、移動局１０に割り当てる。異符号割当部３４は、移動局１０の識別データに対応付けて、割り当てた異拡散符号を基地局２０に通知する。更に、異符号割当部３４は、異拡散符号に対応付けて、割り当てた移動局１０の識別データを割当状況記憶部３６に格納する。
【００２９】
基地局２０は、無線制御装置３０から通知された拡散符号を用いてコンプレストモードを実行する。例えば、基地局２０は、符号長を１／２にしたチャネル識別拡散符号（チャネライゼーションコード）に、通知されたエリア識別拡散符号（例えば、プライマリスクランブリングコード）又は異拡散符号（例えば、オルタネイティブスクランブリングコード）を掛け合わせて拡散を行い、下り方向のコンプレストフレームを送信する。
【００３０】
移動通信システム１００における無線通信制御方法について、図５を用いて説明する。まず、無線制御装置３０は、移動局１０と基地局２０との間の通信において、コンプレストモードが起動中であるか否かを判定する（Ｓ１０１）。ステップ（Ｓ１０１）において、コンプレストモードが起動中ではないと判定した場合には、無線制御装置３０はステップ（Ｓ１０１）に戻り、定期的にコンプレストモードが起動しているか否かを確認する。ステップ（Ｓ１０１）において、コンプレストモードが起動中であると判定した場合には、無線制御装置３０は、割当拡散符号と同一の拡散符号群に属するチャネル識別拡散符号（チャネライゼーションコード）が、他移動局に割り当てられているか否かを判定する（Ｓ１０２）。
【００３１】
ステップ（Ｓ１０２）において、他移動局に割り当てられていないと判定された場合には、無線制御装置３０は、コンプレストモード移行前に移動局１０に割り当てられていたエリア識別拡散符号（例えば、プライマリスクランブリングコード）をコンプレストモードにおいても割り当てる。即ち、無線制御装置３０は、コンプレストモードにおいても移行前と同一の拡散符号を割り当てる（Ｓ１０３）。一方、ステップ（Ｓ１０２）において、他移動局に割り当てられていると判定された場合には、無線制御装置３０は、コンプレストモードにおいて、コンプレストモード移行前に割り当てられていたエリア識別拡散符号と異なる異拡散符号（例えば、オルタネイティブスクランブリングコード）を移動局１０に割り当てる（Ｓ１０４）。
【００３２】
このような移動通信システム１００、無線制御装置３０及び無線通信制御方法によれば、コンプレストモード移行前に移動局１０に割り当てられていたチャネル識別拡散符号（チャネリゼーションコード）と同一の拡散符号群に属するチャネル識別拡散符号が１つも他移動局に割り当てられていない場合には、移行前に割り当てられていたエリア識別拡散符号（例えば、プライマリスクランブリングコード）をコンプレストモードにおいても移動局１０に割り当てることができる。又、無線制御装置３０は、同一の拡散符号群に属するチャネル識別拡散符号が１つでも他移動局に割り当てられている場合には、コンプレストモードでは移動局１０に異拡散符号（例えば、オルタネイティブスクランブリングコード）を割り当てることができる。
【００３３】
そのため、無線制御装置３０は、チャネル識別拡散符号の使用状況を考慮して、拡散符号使用率を低下させることなく、適宜、適切な拡散符号を割り当てることができる。よって、他移動局への干渉を低減し、下り容量を増大させることが可能となる。
【００３４】
〔第２の実施の形態〕
本実施形態では、図１に示した移動通信システム１００において、無線制御装置３０に代えて図６に示す無線制御装置２３０を用いる。無線制御装置２３０は、コンプレストモード起動判定部２３１と、符号判定部３２と、同一符号割当部２３３と、異符号割当部３４と、チャネル符号割当部２３５と、割当状況記憶部２３６と、符号確保部２３７とを備える。図６では、図３に示した無線制御装置３０と実質的に同様の構成については、同一の符号を付して説明を省略する。
【００３５】
コンプレストモード起動判定部２３１は、コンプレストモードが起動中である
と判定した場合に、コンプレストモード通知を符号確保部２３７に入力する。コンプレストモード起動判定部２３１は、コンプレストモードが起動中ではないと判定した場合に、起動中ではないことを通知する通常モード通知を符号確保部２３７に入力する。通常モード通知には、移動局１０を識別可能な識別データが含まれる。
【００３６】
同一符号割当部２３３は、コンプレストモードにおいてエリア識別拡散符号を移動局１０に割り当てた後、同一符号割当通知を符号確保部２３７に入力する。同一符号割当通知は、符号判定部２３２により、割当拡散符号と同一の拡散符号群に属するチャネル識別拡散符号が他移動局に割り当てられていないと判定されたため、コンプレストモード移行前に割り当てられていたエリア識別拡散符号をコンプレストモードにおいても移動局１０に割り当てたことを通知するものである。同一符号割当通知には、移動局１０の識別データが含まれる。これらの点以外は、コンプレストモード起動判定部２３１、同一符号割当部２３３は、図３に示したコンプレストモード起動判定部３１、同一符号割当部３３と実質的に同様である。
【００３７】
符号確保部２３７は、符号判定部２３２により割当拡散符号と同一の拡散符号群に属するチャネル識別拡散符号が他移動局に割り当てられていないと判定された場合に、割当拡散符号と同一の拡散符号群に属するチャネル識別拡散符号をコンプレストモードが終了するまで確保する。符号確保部２３７は、コンプレストモード起動判定部２３１からコンプレストモード通知又は通常モード通知の入力を受ける。又、符号確保部２３７は、同一符号割当部２３３から同一符号割当通知の入力を受ける。
【００３８】
符号確保部２３７は、コンプレストモード起動判定部２３１からコンプレストモード通知を取得した後は、その移動局１０について通常モード通知を取得するまで、割当拡散符号と同一の拡散符号群に属するチャネル識別拡散符号を全て確保する。即ち、符号確保部２３７は、コンプレストモード通知取得後、そのコンプレストモード通知に含まれる移動局１０の識別データを含む通常モード通知を取得するまで、チャネル識別拡散符号を確保する。
【００３９】
符号確保部２３７は、同一符号割当部２３３から同一符号割当通知を取得すると、確保を開始する。符号確保部２３７は、取得した同一符号割当通知に含まれる移動局１０の識別データに基づいて、割当状況記憶部２３６を検索し、移動局１０の割当拡散符号を検出する。符号確保部２３７は、検出した割当拡散符号と同一の拡散符号群に属するチャネル識別拡散符号（チャネライゼーションコード）をコンプレストモードが終了するまで確保する。
【００４０】
例えば、割当状況記憶部２３６は、確保中であることを示すフラグのフィールドと、確保している移動局を示す確保移動局のフィールドをチャネル識別拡散符号（チャネライゼーションコード）毎に備えるようにする。符号確保部２３７は、確保するチャネル識別拡散符号のフラグをオンにし、確保移動局のフィールドに移動局１０の識別データを格納することにより、チャネル識別拡散符号を確保する。チャネル符号割当部２３５は、フラグがオンになっているチャネル識別拡散符号は、確保移動局のフィールドに識別データが格納されている移動局１０以外の他移動局に割り当てないようにする。
【００４１】
このように、チャネル識別拡散符号を確保するとは、チャネル識別拡散符号が他移動局に割り当てられないようにすることをいう。そのため、符号確保部２３７は、他移動局に割り当てられないようにできれば、様々な方法を用いてチャネル識別拡散符号を確保できる。これらの点以外は、割当状況記憶部２３６、チャネル符号割当部２３５は、図３に示した割当状況記憶部３６、チャネル符号割当部２３５と実質的に同様である。
【００４２】
その後、符号確保部２３７は、通常モード通知を取得すると、確保していたチャネル識別拡散符号を解放する。符号確保部２３７は、取得した通常モード通知に含まれる移動局１０の識別データに基づいて、確保されているチャネル識別拡散符号を検出し、解放する。例えば、符号確保部２３７は、確保移動局のフィールドに移動局１０の識別データが格納されているチャネル識別拡散符号（チャネライゼーションコード）を検出し、そのフラグをオフにすることにより、解放する。
【００４３】
無線制御装置２３０を用いた場合の無線通信制御方法について、図７を用いて説明する。まず、無線制御装置２３０は、移動局１０と基地局２０との間の通信において、コンプレストモードが起動中であるか否かを判定する（Ｓ２０１）。ステップ（Ｓ２０１）において、コンプレストモードが起動中ではないと判定した場合に、無線制御装置２３０は、移動局１０の割当拡散符号と同一の拡散符号群に属するチャネル識別拡散符号（チャネライゼーションコード）を確保していれば解放する（Ｓ２０２）。そして、無線制御装置２３０は、ステップ（Ｓ２０１）に戻り、定期的にコンプレストモードが起動しているか否かを確認する。
【００４４】
ステップ（Ｓ２０１）において、コンプレストモードが起動中であると判定した場合には、図５に示したステップ（Ｓ１０２）、（Ｓ１０３）、（Ｓ１０４）と同様のステップ（Ｓ２０３）、（Ｓ２０４）、（Ｓ２０５）を行う。無線制御装置２３０は、ステップ（Ｓ２０５）に進んだ場合には処理を終了する。無線制御装置２３０は、ステップ（Ｓ２０４）に進んだ場合には、割当拡散符号と同一の拡散符号群に属するチャネル識別拡散符号（チャネライゼーションコード）全てを確保する（Ｓ２０６）。そして、無線制御装置２３０は、ステップ（Ｓ２０１）に戻り、定期的にコンプレストモードが起動しているか否かを確認し、コンプレストモードが終了するまでチャネル識別拡散符号を確保し続ける。
【００４５】
このような無線制御装置２３０及び無線通信制御方法によれば、無線制御装置２３０は、コンプレストモードが終了するまでの間だけ、割当拡散符号と同一の拡散符号群に属するチャネル識別拡散符号（チャネリゼーションコード）を他移動局に割り当てないようにできる。よって、他移動局への干渉の低減し、下り容量の増大を維持することができる。
【図面の簡単な説明】
【００４６】
【図１】本発明の第１の実施の形態に係る移動通信システムの構成を示すブロック図である。
【図２】本発明の第１の実施の形態に係るコンプレストモードにおける通信データの伝送を示す図である。
【図３】本発明の第１の実施の形態に係る無線制御装置の構成を示すブロック図である。
【図４】本発明の第１の実施の形態に係るコードツリーを示す図である。
【図５】本発明の第１の実施の形態に係る無線通信制御方法の手順を示すフロー図である。
【図６】本発明の第２の実施の形態に係る無線制御装置の構成を示すブロック図である。
【図７】本発明の第２の実施の形態に係る無線通信制御方法の手順を示すフロー図である。
【符号の説明】
【００４７】
１００  移動通信システム
１０  移動局
２０  基地局
３０，２３０  無線制御装置
３１，２３１  コンプレストモード起動判定部
３２  符号判定部
３３，２３３  同一符号割当部
３４  異符号割当部
３５，２３５  チャネル符号割当部
３６，２３６  割当状況記憶部
２３７  符号確保部
【図１】
2005341425.tif 000003
【図２】
2005341425.tif 000004
【図３】
2005341425.tif 000005
【図４】
2005341425.tif 000006
【図５】
2005341425.tif 000007
【図６】
2005341425.tif 000008
【図７】
2005341425.tif 000009